(57)【要約】【課題】吸収性物品のヒップホールド用フラップにおける蒸れを低減して肌トラブルを防止する。【解決手段】人体との接触面側に設けられる透液性のトップシート３と、不透液性のバックシート２と、トップシートとバックシートとの間に介装される吸収体４とを備えるナプキン１における、その吸収体の長手方向後部側の両側縁部４４から側方に延在するヒップホールド用フラップＨＦに、複数の開孔部７７が形成された撥水性シート７１と親水性シート７２とが積層されてなるシート部材７を、その撥水性シートが人体との接触面側に配置されるように設けることとした。【選択図】    図１
2004290600.tif 000002
【特許請求の範囲】
【請求項１】
人体との接触面側に設けられるトップシートと、人体との接触面と反対面側に設けられるバックシートと、前記トップシートと前記バックシートとの間に介装される吸収体とを備え、前記吸収体の長手方向後部側の両側縁部から側方に延在するヒップホールド用フラップを有する吸収性物品であって、
複数の開孔部が形成された撥水性シートと、親水性シートとが積層されてなるシート部材を、前記撥水性シートが人体との接触面側に配置されるように、前記ヒップホールド用フラップに設けたことを特徴とする吸収性物品。
【請求項２】
前記撥水性シートと前記親水性シートとは接着されていることを特徴とする請求項１に記載の吸収性物品。
【請求項３】
前記シート部材には、複数のエンボスが形成されていることを特徴とする請求項１又は２に記載の吸収性物品。
【請求項４】
前記親水性シートの前記撥水性シート側の面は、前記開孔部ピッチよりも小さいピッチの凹凸形状となっていることを特徴とする請求項１〜３の何れか一項に記載の吸収性物品。
【発明の詳細な説明】
【０００１】
【発明の属する技術分野】
本発明は、経血やおりものなどの体液を吸収するための生理用ナプキン、パンティライナー、失禁パッド等の吸収性物品に係り、詳しくは臀部を覆うヒップホールド用フラップを備える吸収性物品に関する。
【０００２】
【従来の技術】
従来より、生理用ナプキン、パンティライナー、失禁パッドなどの吸収性物品として、ポリエチレンシートまたはポリエチレンシートラミネート不織布などの不透液性バックシートと、不織布または透液性プラスチックシートなどの透液性トップシートとの間に綿状パルプ等からなる吸収体を介在させたものが知られている。
近年においては、体液の量や装着時間帯に応じた各種吸収性物品が提案されている。例えば、夜用生理用ナプキンでは、後漏れを防止するために、ナプキンの長手方向の後部両側部に、側方に延在するヒップホールド用フラップを設け、そのヒップホールド用フラップにより臀部を覆うものが知られている（例えば、特許文献１参照。）。
【０００３】
【特許文献１】
特開２００３−５２７４３号公報
【０００４】
【発明が解決しようとする課題】
しかしながら、上記特許文献１の場合、ヒップホールド用フラップに覆われた肌部分に生じた汗が、ヒップホールド用フラップと肌との間でこもる熱によって蒸れることにより、着用者に不快感を与えることがあった。また、蒸れた状態が続くことにより、かぶれ、かゆみ等の肌トラブルを起こす場合があった。
【０００５】
本発明の課題は、吸収性物品のヒップホールド用フラップにおける蒸れを低減して肌トラブルを防止することである。
【０００６】
【課題を解決するための手段】
以上の課題を解決するため、請求項１記載の発明は、
人体との接触面側に設けられるトップシート（３）と、人体との接触面と反対面側に設けられるバックシート（２）と、前記トップシートと前記バックシートとの間に介装される吸収体（４）とを備え、前記吸収体の長手方向後部側の両側縁部（４４）から側方に延在するヒップホールド用フラップ（ＨＦ）を有する吸収性物品（例えば、ナプキン１）であって、
複数の開孔部（７７）が形成された撥水性シート（７１）と、親水性シート（７２）とが積層されてなるシート部材（７）を、前記撥水性シートが人体との接触面側に配置されるように、前記ヒップホールド用フラップに設けたことを特徴とする。
【０００７】
請求項１記載の発明によれば、吸収性物品の後部側において側方に延在するヒップホールド用フラップに、複数の開孔部が形成された撥水性シートと親水性シートとが積層されてなるシート部材が、その撥水性シートが人体との接触面側に配置されるように設けられている。
よって、ヒップホールド用フラップが接触する人体の肌から生じる汗を、シート部材の撥水性シートの開孔部を通じて親水性シートへ吸収することができる。そして、ヒップホールド用フラップが直接人体の肌に接触する面は撥水性シートであるので、その肌の表面にはドライ感を付与することができる。
従って、吸収性物品のヒップホールド用フラップにおいて、汗を吸収し、蒸れることを低減して肌トラブルを防止することができる。
【０００８】
請求項２記載の発明は、請求項１記載の吸収性物品において、
前記撥水性シートと前記親水性シートとは接着されていることを特徴とする。
【０００９】
請求項２記載の発明によれば、請求項１記載の発明と同様の作用を奏するとともに、撥水性シートと親水性シートとは接着されているので、撥水性シートと親水性シートとはより密着することにより、ヒップホールド用フラップにおいて、汗を吸収し、蒸れることを低減して肌トラブルを防止することができる。
【００１０】
請求項３記載の発明は、請求項１又は２に記載の吸収性物品において、
前記シート部材には、複数のエンボス（１０）が形成されていることを特徴とする。
【００１１】
請求項３記載の発明によれば、請求項１又は２に記載の発明と同様の作用を奏するとともに、シート部材には、複数のエンボスが形成されているので、ヒップホールド用フラップが直接人体の肌に接触するシート部材の表面には、凹凸状の加工が施されている。
よって、ヒップホールド用フラップが直接人体の肌に接触する面積をより少なくすることができるので、吸収性物品のヒップホールド用フラップにおける蒸れをより低減することができる。
また、エンボスが形成されることにより、撥水性シートと親水性シートの密着性が向上する。
【００１２】
請求項４記載の発明は、請求項１〜３の何れか一項に記載の吸収性物品において、
前記親水性シートの前記撥水性シート側の面は、前記開孔部ピッチよりも小さいピッチの凹凸形状（２２）となっていることを特徴とする。
【００１３】
請求項４記載の発明によれば、請求項１〜３の何れか一項に記載の発明と同様の作用を奏するとともに、親水性シートの撥水性シート側の面は、開孔部ピッチよりも小さいピッチの凹凸形状となっているので、親水性シートにおける凹凸形状を有する面は、開孔部に侵入しやすい。
よって、親水性シートがより肌側に近づきやすくなり、より汗を吸収しやすくなる。
【００１４】
【発明の実施の形態】
以下、本発明の実施の形態を図１から図４に基づいて説明する。
図１は本発明を適用した生理用ナプキンの斜視図であり、図２は同生理用ナプキンの展開図である。図３は、図２のＩＩＩ−ＩＩＩ線における断面図である。
【００１５】
吸収性物品としての生理用ナプキン（以下、ナプキンという。）１は、ポリエチレンシートなどからなる不透液性のバックシート２と、経血やおりものなどの体液を速やかに透過させる透液性のトップシート３と、これらバックシート２とトップシート３との間に介装される綿状パルプまたは合成パルプなどからなる吸収体４と、この吸収体４を囲繞するクレープ紙５と、吸収体４の略側縁部を起立基端とし、少なくとも排血口対応部（例えば、図１、図２に示されるポイントＰ）から前後方向に所定の区間において人体との接触面側に起立するように設けられた左右一対のギャザーシート６、６等により構成されている。
【００１６】
ナプキン１の吸収体４の周囲において、ナプキン１の長手方向の両端部（前端部１１ａ、後端部１１ｂ）では、バックシート２とトップシート３の外縁部がホットメルトなどの接着剤やヒートシール等の接着手段によって接着されている。
また、ナプキン１の両側縁部では、吸収体４よりも側方に延出しているバックシート２と、ギャザーシート６の一部分とがホットメルトなどの接着剤やヒートシール等の接着手段によって接着されている。このバックシート２とギャザーシート６とが接着されてなる積層シート部分が、ナプキン１の長手方向の中央部からやや前側において側方に突出するようにウイング状フラップＷ、Ｗが形成されている。
また、ウイング状フラップＷ、Ｗよりも後部側に位置する部分においては、吸収体４の両側縁部４４から側方に延出しているバックシート２に、シート部材７がホットメルトなどの接着剤やヒートシール等の接着手段によって接着されたヒップホールド用フラップＨＦ、ＨＦが形成されている。
【００１７】
バックシート２は、ポリエチレン等の少なくとも遮水性を有するシート材により形成されている。また、ムレ防止の観点から透湿性を有するシート材であることが好ましく、この遮水性と透湿性とを具備するシート材としては、ポリエチレンやポリプロピレン等のオレフィン系樹脂中に無機充填剤を溶融混練してシートを成形した後、一軸または二軸方向に延伸することにより得られる微多孔性シート材が好適に用いられる。
また、バックシート２の外面には一又は複数条の粘着剤層（図示せず）が形成されており、身体への装着時にナプキン１を下着に固定するようになっている。
【００１８】
トップシート３は、有孔または無孔の不織布や、多孔性プラスチックシートなどにより形成されている。不織布を構成する素材繊維としては、ポリエチレンまたはポリプロピレン等のオレフィン系、ポリエステル系、ポリアミド系等の合成繊維の他、レーヨンやキュプラ等の再生繊維、綿等の天然繊維を用いることができる。また、不織布を製造する方法としては、公知の方法を適宜用いることができ、例えば、スパンレース法、スパンボンド法、サーマルボンド法、メルトブロー法、ニードルパンチ法、或いはこれらを組み合わせた方法等によって不織布を製造することができる。
トップシート３に多数の透孔を形成した場合には、経血やおりもの等の体液がより速やかに吸収されるようになり、ドライタッチ性に優れたものとなる。
【００１９】
吸収体４は、体液を吸収するものであり、通常はフラッフ状パルプ中に吸水性ポリマー粉末を混入したものが吸収機能およびコストの点から好適に使用されるが、体液を吸収・保持し得るものであれば良い。吸収体４は、形状保持等のためにクレープ紙５によって囲繞することが望ましい。
また、吸収体４をナプキン１の所定の位置に保持するため、また表面側（人体側）に吸収体４を膨出させるため、また吸収した体液を封じ込める等のために、トップシート３を介して吸収体４に複数のエンボス８ａ、８ｂが形成されている。
【００２０】
ギャザーシート６、６は、吸収体４の略側縁部において、ナプキン１の前端部１１ａから後端部１１ｂにわたって備えられている。ギャザーシート６は、不透液性の不織布のシートを二つ折りにし、折り合わされた面を、例えば、ホットメルトや、ヒートシール等により接着することにより形成されている。
この不織布シートを二つ折りにした折り返し部分側の端部を自由端部６１、ナプキン本体側に固定される端部を固定端部６２とする。その固定端部６２が、バックシート２に固着されることにより、ギャザーシート６、６がナプキン本体側に固定されている。そして、その不織布が折り合わされた面間に、複数本の糸状の弾性部材９・・・が挟み込まれて固着されて備えられている。
このギャザーシート６、６がナプキン１（バックシート２）に固着されて備えられた状態において、自由端部６１が起立することにより、立体ギャザーが形成される。そして、この弾性部材９・・・によりギャザーシート６は、着用者の体型に合わせて伸縮自在に変形し、着用者にフィットしやすい構造となっている。
【００２１】
ウイング状フラップＷは、排血口対応部であるポイントＰに相当する箇所に対応するように、ナプキン１の側方に突出している。このウイング状フラップＷの外面側（バックシート２の外面）には、粘着材層（図示せず）が備えられており、ナプキン１を装着する際に、ウイング状フラップＷを人体との反対側に折り返し、ショーツのクロッチ部分に巻き付けて、止着するようになっている。
【００２２】
ヒップホールド用フラップＨＦは、ナプキン１の着用者の臀部をより広く覆うために形成されたフラップ部であり、ナプキン１から体液が後漏れすることを防ぐように設けられている。このヒップホールド用フラップＨＦの人体との接触面側にはシート部材７が接着されて備えられている。
【００２３】
シート部材７は、図３、図４に示されるように、撥水性シート７１と親水性シート７２とが積層されたシート材であり、撥水性シート７１が人体との接触面側に配置されるように、親水性シート７２がバックシート２に接着されている。
撥水性シート７１は、表層に撥水性不織布７１ａ、裏層に樹脂フィルム７１ｂが積層された撥水性を有するシート材であり、この撥水性シート７１には複数の微小な開孔部７７・・・が形成されている。
【００２４】
開孔部７７の幅は、３ｍｍ以上１０ｍｍ以下であり、好ましくは５ｍｍ以上８ｍｍ以下である。開孔部７７が３ｍｍ未満であると、その開孔の凹凸がつぶれてしまい、その効果が低減してしまう。
【００２５】
親水性シート７２は、親水性不織布により形成されたシート材である。親水性シート７２の表面（撥水性シート７１側の面）には、開孔部７７のピッチよりも小さいピッチの凹凸形状２２を有するように凹凸加工が施されており、その凹凸加工された表面における凹凸形状２２は、開孔部７７に侵入しやすくなっている。
シート部材７には、撥水性シート７１側から押し付けた複数のエンボス１０・・・が形成されており、撥水性シート７１と親水性シート７２とは、このエンボス１０により接着されている。
【００２６】
前述のように構成されたナプキン１を着用者が装着することにより、ヒップホールド用フラップＨＦは着用者の臀部を覆う。
このナプキン１の装着中に、臀部とヒップホールド用フラップＨＦとの間に生じた汗は、シート部材７の撥水性シート７１の開孔部７７を通じて親水性シート７２に吸い取られ吸収される。
そして、着用者の臀部の肌に直接触れるヒップホールド用フラップＨＦの面の素材は、シート部材７の撥水性を有する撥水性シート７１であるので、着用者にサラッとしたドライ感を与えることができる。また、撥水性シート７１は、親水性シート７２に吸収した汗が肌側に戻ることを妨げる。
【００２７】
特に、シート部材７の表面にはエンボス１０が形成されており、人体との接触面側が凹凸状に加工されているので、肌との接触面積はより少なくて済み、臀部とヒップホールド用フラップＨＦとの間のムレを低減することができる。また、形成されたエンボス１０に基づくシート部材７表面の凹凸状の加工により柔らかい肌触り感が得られる。
【００２８】
また、シート部材７に形成されたエンボス１０によって親水性シート７２に押圧力が付与されることにより、親水性シート７２が開孔部７７において撥水性シート７１側である人体側に若干隆起し、人体の肌側に近づくことにより汗を吸収しやすくなっている。また、親水性シート７２を形成する親水性不織布表面の毛羽が開孔部７７から人体側へ立つことにより、その毛羽の毛細管作用によっても親水性シート７２は汗を吸収しやすくなっている。
また、親水性シート７２の表面に、親水性シート７２に形成された開孔部７７の大きさやピッチ、間隔に応じて波形状の突起加工のような凹凸加工を施し凹凸形状２２を設けておくことにより、その開孔部７７において親水性シート７２が人体側に近づきやすくなり、汗の吸収性を向上させることができる。
【００２９】
このように、本発明に係るナプキン１によれば、ヒップホールド用フラップＨＦにおける汗を吸収することによって、蒸れを低減することができる。さらに、肌トラブルを防止できる。また、ヒップホールド用フラップＨＦの肌触り感をより柔らかい、風合いのよいものとすることができる。
【００３０】
なお、以上の実施の形態においては、シート部材７の撥水性シート７１は、撥水性不織布７１ａと樹脂フィルム７１ｂとの２層構造としたが、本発明はこれに限定されるものではなく、１層或いは３層以上の何層構造であってもよい。
また、シート部材７も、表面の人体との接触面に撥水性シートが配され、その撥水性シートの開孔部を通じて汗などの水分を吸収する親水性シートが形成されていれば、そのシート層の数は任意である。
【００３１】
また、シート部材７の表面に形成するエンボス１０の形状や数は、特に限定されず任意である。
また、図５（ａ）、（ｂ）に示されるように、エンボス１０を形成しなくてもよい。
また、シート部材７の、撥水性シート７１と親水性シート７２は、ホットメルトなどの接着手段により接着されていてもよい。
【００３２】
また、親水性シート７２の表面の凹凸形状２２は、凹凸加工を施さずに親水性シート７２自体の凹凸や毛羽によるものであってもよい。
【００３３】
また、その他、具体的な細部構造等についても適宜に変更可能であることは勿論である。
【００３４】
【発明の効果】
請求項１記載の発明によれば、吸収性物品の後部側において側方に延在するヒップホールド用フラップに、複数の開孔部が形成された撥水性シートと親水性シートとが積層されてなるシート部材が、その撥水性シートが人体との接触面側に配置されるように設けられている。
よって、ヒップホールド用フラップが接触する人体の肌から生じる汗を、シート部材の撥水性シートの開孔部を通じて親水性シートへ吸収することができる。そして、ヒップホールド用フラップが直接人体の肌に接触する面は撥水性シートであるので、その肌の表面にはドライ感を付与することができる。
従って、吸収性物品のヒップホールド用フラップにおいて、汗が蒸れることを低減して肌トラブルを防止することができる。
【００３５】
請求項２記載の発明によれば、請求項１記載の発明と同様の作用を奏するとともに、撥水性シートと親水性シートとは接着されているので、撥水性シートと親水性シートとはより密着することにより、ヒップホールド用フラップにおいて、汗を吸収し、蒸れることを低減して肌トラブルを防止することができる。
【００３６】
請求項３記載の発明によれば、請求項１又は２に記載の発明と同様の作用を奏するとともに、シート部材には、複数のエンボスが形成されているので、ヒップホールド用フラップが直接人体の肌に接触するシート部材の表面には、凹凸状の加工が施されている。
よって、ヒップホールド用フラップが直接人体の肌に接触する面積をより少なくすることができるので、吸収性物品のヒップホールド用フラップにおける蒸れをより低減することができる。
また、エンボスが形成されることにより、撥水性シートと親水性シートの密着性が向上する。そして、撥水性シートやそのエンボスによって親水性シートに押圧力が付与されることによって、親水性シートが開孔部において撥水性シート側に若干隆起することなどにより、親水性シートがより肌側に近づきやすくなり、より汗を吸収しやすくなる。
【００３７】
請求項４記載の発明によれば、請求項１〜３の何れか一項に記載の発明と同様の作用を奏するとともに、親水性シートの撥水性シート側の面は、開孔部ピッチよりも小さいピッチの凹凸形状となっているので、親水性シートにおける凹凸形状を有する面は、開孔部に侵入しやすい。
よって、親水性シートがより肌側に近づきやすくなり、より汗を吸収しやすくなる。
【図面の簡単な説明】
【図１】本発明に係るナプキンの斜視図である。
【図２】本発明に係るナプキンを展開した平面図である。
【図３】図２のＩＩＩ−ＩＩＩ線における断面図である。
【図４】図３のＩＶ部分の拡大図である。
【図５】本発明の変形例（ａ）、（ｂ）における図３のＩＶ部分の拡大図である。
【符号の説明】
１      ナプキン（吸収性物品）
２      バックシート
３      トップシート
４      吸収体
４４    側縁部
５      クレープ紙
６      ギャザーシート
７      シート部材
７１    撥水性シート
７１ａ  撥水性不織布
７１ｂ  樹脂フィルム
７２    親水性シート
２２    凹凸形状
７７    開孔部
８ａ、８ｂ  エンボス
９      弾性部材
１０    エンボス
ＨＦ    ヒップホールド用フラップ
Ｗ      ウイング状フラップ
Ｐ      ポイント（排血口対応部）
【図１】
2004290600.tif 000003
【図２】
2004290600.tif 000004
【図３】
2004290600.tif 000005
【図４】
2004290600.tif 000006
【図５】
2004290600.tif 000007